(57)【要約】      （修正有）【課題】  飛沫感染防止をするとともに濃厚接触を回避したソーシャルディスタンスを保つことのできる濃厚接触アラート機能を有するフェイスシールドを提供する。【解決手段】  透明シールド部２とフレーム３とから成るフェイスシールド１であって、フレーム３にＬＥＤ光源ユニット４、近接センサー５および制御回路６を備え、制御回路６は近接センサー５からの検知情報に基づき他者との接近度合いに応じてＬＥＤ光源ユニット４からの発光色を変化させ、色変化した光はシールド部２の内層部を伝播してシールド部２の表面から発光表示されることとなり他者との接近度合いを判断することのできる構成とした。【選択図】図１
0003230054.tif 000002
【実用新案登録請求の範囲】
【請求項１】
可撓性の透明素材からなり顔部を覆うシールド部と前記シールド部が取り付けられるフレームとから構成され、前記フレームに近接センサーおよび前記近接センサーの感知作動に伴い発光する光源ユニットアラート装置を備えたことを特徴とするフェイスシールド。
【請求項２】
前記光源ユニットアラート装置における光源として発光色の異なる複数のＬＥＤを備え、近接センサーの感知強度に従って段階的に応じて発光色が異なることを特徴とする請求項１に記載のフェイスシールド。
【請求項３】
前記透明シールド部表面に印刷またはエッチング等の導光加工をすることで任意の図柄や模様または文字等を発光表示することを可能とした請求項１に記載のフェイスシールド。
【考案の詳細な説明】
【考案の詳細な説明】
【技術分野】
【０００１】  本願考案は、ウイルスによる飛沫感染を予防すると共に飛沫拡散を防ぐためのフェイスシールド関する。
【背景技術】
【０００２】  新型コロナウイルス感染症が世界的に流行しており、その感染経路としては接触感染、飛沫感染および空気感染がある。感染者から他者への感染を予防することは、感染経路を断ち切ることができ、感染拡大を防ぎ、感染症を収束に導くために重要なことである。【０００３】  接触感染を防ぐためには手洗いやアルコール等による手指消毒をして、口や鼻の粘膜から体内へのウイルスの侵入を防ぎ、また、他者へのあるいは他者からの飛沫感染や空気感染を防ぐためにはマスク着用が推奨されている。【０００４】  顔の表情や口の動きを示す必要または示すことが望ましい場合には透明な樹脂素材で顔の全部や鼻口部および目などを覆うことにより、感染予防を行いながら表情も見えるものとしてフェイスシールドが使用されている。【０００５】  しかしフェイスシールドは密閉性を確保するものではないため、空気感染や飛沫感染に対して必ずしも万全な対策であるとは言い難い。
国立感染症研究所は、感染している可能性が考えられる者を濃厚接触者と呼ぶこととし、その者を特別な保護状態においたり、または外出禁止などの措置をするなどの取り扱いを決めており、２０２０年４月に濃厚接触者の定義としては、感染者の発病２日前以降の接触で、１メートル以内かつ１５分以上の接触をした者、とのガイドラインを発表した。【０００６】  フェイスシールドを着用している場合であって、この定義を踏まえ、またソーシャルディスタンスを保つためにも更なる予防対策を図るものとして、フェイスシールドにアラート機能を具備させることが極めて有効である。【０００７】  従来、作業員同士が近接したかどうかを検知する近接検知警報装置を作業現場で作業する各作業員のヘルメットに装着して、近接事故を防ぐために警報を発生させるものがある（特許文献１）。【０００８】  この近接警報装置は作業員それぞれのヘルメットに搭載された電波の送受信装置により近接を検知した場合警報を鳴らすシステムである。
ただしこのシステムにおいては、当該ヘルメットを着用していない作業員は近接検知の対象とはならない。【０００９】  前記特許文献１では警報を鳴らすことの報知形式を採用しており、警報音だけでは作業装置の騒音で音が聞き取りにくい場合がある。
音だけではなく、他者が設定距離圏に接近した場合に音、光または振動などを出力することで報知する装置が特許文献２に開示されており、この特許文献２の装置では光または振動による報知手段も備えているので、報知手段については問題がない。しかし前記２件の特許文献の近接検知方式はいずれも相互間の電波送受信によるもので、作業員各自のヘルメットに近接警報装置が備えられていなければならない。【００１０】  特許文献３ではヘルメットに対する障害物の接近を検出し、これを装着者本人に警告することが可能なヘルメット装着具が開示されている。
周囲に存在する物体との間の距離を検出する距離センサーおよび発光や警告音による報知装置がヘルメットに設けられている。この装置においては検知対象との送受信の必要はない点において前記２つの特許文献とは異なるが、近接報知装置が単にヘルメットに備えられるものであって、感染防止対策についてはまったく想定外となっている。
【先行技術文献】
【特許文献】
【００１１】
【特許文献１】特許第６５５７４９５号
【特許文献２】特開２００７−５８７６５
【特許文献３】登録実用新案第３１８８５３０号
【考案の概要】
【考案が解決しようとする課題】
【００１２】  この技術分野における従来の近接警報装置は双方が接近検知装置を備えていなければならなかったり、作業現場において採用される技術で近接警報装置の装備対象がヘルメットに限定されているので飛沫感染防止対策とはなり得ず、しかも警告報知対象がヘルメット着用者本人に対してであり、他者への報知とはなり得ないものであった。
【課題を解決するための手段】
【００１３】  感染防止対策およびソーシャルディスタンスの観点から、濃厚接触アラート機能を備え、着用者本人および対面相手などの他者に対して発光、近接距離に伴う異なる発光色、または必要により警告音などで接近状況を報知する手段を備えて充分な感染防御対策ができるフェイスシールドが提供される。
【考案の効果】
【００１４】  本願考案のフェイスシールドは飛沫感染防止対策として、および自己のみならず他者に対して、近接状況の報知をするものであり、透明シールド部にＬＥＤ等の光源からの発光・点灯によりアラート（警報）表示させることで装着者、接触者や対面者、接待者、観衆に対し接近状況を報知して、接触行為、対応、行動等における距離感や時間などの判断基準を与えることになり、結果としてソーシャルディスタンスを保った行動を促し、ウイルス感染防止効果を有する。
【図面の簡単な説明】
【００１５】
【図１】  本考案のフェイスシールドの斜視図である。
【図２】  本考案のアラート発光色の段階的変化を表す図である。
【図３】  本考案の使用状態を表す図である。
【考案を実施するための形態】
【００１６】  本考案の実施形態について図を参照しながら説明をする。
図１は本考案のフェイスシールド１を示す図であり、フェイスシールド１は可撓性の透明なシールド部２とそのシールド部２を上方の左右端部で支承するフレーム３とで構成される。
【００１７】  フレーム３には近接センサー５および近接センサーの感知作動に伴い発光するＬＥＤアラート光源４、およびこれらを制御する制御回路部６が組み込まれている。なお、図示されないが電池は制御回路部６に収納されており、また必要に応じて報知音発生装置をフレーム３の任意の箇所に組み込むようにしても良い。
【００１８】  シールド部２とフレーム３との接合部は図示していないが、適宜の手段で接合すれば良く特に限定はない。好ましい形態の例としては、回動可能および取り外し可能な嵌着構造を採用することが考えられ、このような形態とすることでシールド部２で顔部を覆う必要のないときや飲食時にはシールド部２を上方に回動させることができ。さらにシールド部２はフレーム３から取り外して除菌、洗浄することを可能とする。
【００１９】  ＬＥＤ光源ユニット４の設置箇所については、フレーム３の前頭部に相当する位置であってシールド部２の裏面に接するように設置し、異なる発光色のＬＥＤを複数個設ける。
【００２０】  近接センサー５および制御回路部６はフレーム３の適宜の位置に設置すれば良いが、図１においてはフレーム３の左側頭部に近接センサー５を、フレーム３の後頭部に制御回路部６を組み込む構造としている。
【００２１】  接近状態の報知方法として、シールド部２の裏面に接するように設けられた複数個のＬＥＤからの光はシールド部２の裏面から入光して、シールド部２を構成する透明板状体の内層部を伝播してシールド部２の表面から発光するもので、その際に近接センサー５の検知強度により異なる色を発光表示する。
【００２２】  対面者との接近度合いと経過時間との関係からＬＥＤ発光によるアラート表示例を以下の表に示す。
0003230054.tif 000003
【００２３】  フェイスシールド１における濃厚接触アラートの発光色による段階的変化を図２に示す。接触度合いにより（Ａ）⇒（Ｂ）⇒（Ｃ）と発光色変化をさせる。
（Ａ）  通常時：青色光常時点灯または不点灯
（Ａ）  １ｍ以内離脱時：青色光常時点灯
（Ｂ）  １ｍ以内接近時：黄色光常時点灯
（Ｃ）  １ｍ以内接近１５分経過：赤色光常時点灯または点滅
【００２４】  図３はフェイスシールド１の使用例の概略図で、対面者がフェイスシールド１の着用者に接近するに連れ、近接センサー５の検知強度が変化する。ここで接近状態が１ｍ以内となり、かつ制御回路部６により計時された対面時間が１５分を経過すると制御回路部６からの指示で赤色発光表示となり、濃厚接触であることを報知することとなる。
【００２５】  発光色の変化を透明シールド部２に表示して接近状況を報知することの他に、透明シールド部２の表面に、印刷またはエッチング等の導光加工をして、図柄、模様、文字などを表示することにより接触相手に接近状況を報知することもできる。
【産業上の利用可能性】
【００２６】  本考案のフェイスシールド１を着用することにより、感染経路の遮断だけでなく、濃厚接触回避のための、対面接触者との距離感および接触時間などの判断基準となり、ウイルス等からの感染防御装置として極めて有効である。
【符号の説明】
【００２８】１  フェイスシールド
２  シールド部
３  フレーム
４  ＬＥＤ光源ユニット
５  近接センサー
６  制御回路部
【図１】
0003230054.tif 000004
【図２】
0003230054.tif 000005
【図３】
0003230054.tif 000006